(57)【特許請求の範囲】
【請求項１】
略同一の高さと幅を有する２枚の熱可塑性合成樹脂製フィルムからなる高辺フィルムと、該２枚の高辺フィルムより高さを略ファスナー取り付け範囲相当分を短くし該２枚の高辺フィルムと略同一の幅を有する１枚の熱可塑性合成樹脂製フィルムからなる低辺フィルムとを、前記低辺フィルムが外側になるように、かつ下端縁部と左右端縁部を揃えて重ねて、
又は、２枚の前記高辺フィルムと２枚の前記低辺フィルムとを、それぞれ交互になるように、かつ下端縁部と左右端縁部を揃えて重ねて、
３枚又は４枚のフィルムとも前記下端縁部と前記左右端縁部の３辺を熱溶着で閉塞し、
前記下端縁部から上端縁部側に向かって、ファイルに綴じるために使用する範囲分を離間させた高さのところを前記下端縁部に沿ってかつ左右端縁部間に亘って重ねたすべてのフィルムに底壁用仕切り壁を形成して、前記底壁用仕切り壁より下方には四方を閉塞された綴じ部が形成され、
すべての低辺フィルムを含む３枚のフィルムに対して、前記底壁用仕切り壁の左右方向で任意に定めた間隔を確保して、前記底壁用仕切り壁から前記上端縁部側に向かって前記低辺フィルムの上端部近傍の高さまで縦方向に複数の側壁用仕切り壁を形成して、前記底壁用仕切り壁と前記側壁用仕切り壁とからなる、横方向に前記定めた幅の間隔で複数の小袋部が形成され、かつ、前記３枚のフィルムの中央のフィルムを中心に前後にそれぞれ同一の幅を有する２つの小袋部が形成され、
前記高辺フィルムの上端縁部に沿って左右両端部に亘ってファスナーを設けて、
１枚の低辺フィルムが外側になるようにして２枚の高辺フィルムと重ねた場合は、上部開口部が常時開放状態の小袋部と、上部開口部が開閉可能な小袋部が前後で対になって、かつ横方向に複数並んだ小袋部が形成され、
又は、２枚の低辺フィルムと２枚の高辺フィルムとをそれぞれ交互に重ねた場合は、上部開口部が常時開放状態の小袋部と、上部開口部が開閉可能な小袋部が前後で対になって、かつ横方向に複数並んだ小袋部が形成されるとともに、前記底壁用仕切り壁と前記左右端縁部とにより三方が閉塞され上部開口部が開閉可能な大袋部が形成されることを特徴とする小物整理用袋体。
【請求項２】
前記開閉用ファスナーの形態がスライダーを有する場合に、前記スライダーの左右方向の長さ相当分の幅を有する左右方向が仕切られた空間部を形成するための側壁用仕切り壁を、前記ファスナーが開放時に待機位置にある前記スライダー前端部の下方に設けたことを特徴とする請求項１に記載の小物整理用袋体。
【請求項３】
前記ファスナーが、線ファスナー、面ファスナー、雄雌咬合型ファスナー又はスライダー付雄雌咬合型ファスナーであることを特徴とする請求項１又は２に記載の小物整理用袋体。
【発明の詳細な説明】
【技術分野】
【０００１】
本発明は、ファスナー付袋体であって、複数の小物の分別収納ができ、かつ複数のファスナー付袋体を同一ファイルに収納することのできる小物整理用袋体に関するものである。
【背景技術】
【０００２】
小物を分別収納できる技術としては、特許文献１に、合成樹脂からなる矩形状袋本体と、該矩形状袋本体の開口端縁に沿って一連かつ一直線状に設けたファスナーと、該ファスナーに係合摺動してファスナーを開閉するスライダーと、前記開口端縁に沿って矩形状袋体内を区画して複数の物品収納空間を形成する仕切り壁とを備えてなるファスナー付袋体において、前記物品収納空間の区画幅で全開口となるスライダー停止位置情報を少なくとも表示する取り出し情報表示部が、前記開口端縁に沿って各区画ごとに設けられているとともに、前記仕切り壁が、前記矩形状袋本体の袋底縁から開口端縁に向けて垂線状に延びて物品収納時に隣り合う物品収納空間における収納物品の相互移動を阻止する物品収納壁部分と該物品収納壁部分から開口端縁まで次期取り出し側に向けて傾斜状の延びて物品取り出し時に収納物品を開口端縁へ誘導する物品誘導壁部分とで構成されているファスナー付袋体が開示されている。
【先行技術文献】
【特許文献】
【０００３】
【特許文献１】特開２００８−１４１０号公報
【発明の概要】
【発明が解決しようとする課題】
【０００４】
しかし、特許文献１に記載の技術は、例えば不動産の管理を担う人が部屋の複数の鍵を管理する場合のように、収納する物品が鍵のように外観が同じような形態を有する物品の場合には収納物品の相互移動を阻止しただけでは、収納した鍵を取り出すときにどの鍵を取り出せば良いのかがわからないので管理人としての仕事の効率が低下するという問題があった。
【０００５】
また、特許文献１の段落［００２４］に「・・・「夜食後」という文字情報が印刷されている。」と記載されているが、アパート等の貸室、貸事務所や貸家等の多くの部屋や家屋の鍵の管理を担う場合には、借主の出入りがあるため借主の変わるたびに袋体に印刷されている文字情報を変えることは手間がかかり煩わしいので変えにくいという問題があり、借主の変更が増加したら鍵と借主とをわかりやすいように整理整頓することが崩れ、鍵の借主を把握にしにくくなって管理人としての業務の効率が低下するという問題があった。
【０００６】
また、例えば「夜食用」のように簡単な文字情報では、管理している鍵からその鍵の使用者がすぐには浮かんできにくく、その使用者の連絡先や顔を思い出すのに、それらの情報が記載されたものを探すことから時間がかかり管理人としての仕事の効率が低下するという問題があった。
【０００７】
本発明はこうした問題に鑑み創案されたもので、複数の鍵等の小物を分別させて収納でき、分別収納した小物に関する情報を関連づけて容易に整理することができ、多数の小物を効率よく管理できることで仕事の効率を上げることができる小物整理用袋体、例えば鍵の借主の名刺や顔写真を容易に整理することができ、管理人としての仕事の効率を高めることに寄与できる小物整理用袋体を提供することを課題とする。
【課題を解決するための手段】
【０００８】
請求項１に記載の本発明の小物整理用袋体１は、略同一の高さと幅を有する２枚の熱可塑性合成樹脂製フィルムからなる高辺フィルム２０と、該２枚の高辺フィルム２０より高さを略ファスナー８取り付け範囲相当分を短くし該２枚の高辺フィルム２０と略同一の幅を有する１枚の熱可塑性合成樹脂製フィルムからなる低辺フィルム２１とを、前記低辺フィルム２１が外側になるように、かつ下端縁部１０と左右端縁部１２、１３を揃えて重ねて、又は、２枚の前記高辺フィルム２０と２枚の前記低辺フィルム２１とを、それぞれ交互になるように、かつ下端縁部１０と左右端縁部１２、１３を揃えて重ねて、３枚又は４枚のフィルムとも前記下端縁部１０と前記左右端縁部１２、１３の３辺を熱溶着で閉塞し、前記下端縁部１０から上端縁部１１側に向かって、ファイル５０に綴じるために使用する範囲分を離間させた高さのところを前記下端縁部１０に沿ってかつ左右端縁部１２、１３間に亘って重ねたすべてのフィルムに底壁用仕切り壁６を形成して、前記底壁用仕切り壁６より下方には四方を閉塞された綴じ部５が形成され、すべての低辺フィルム２１を含む３枚のフィルムに対して、前記底壁用仕切り壁６の左右方向で任意に定めた間隔を確保して、前記底壁用仕切り壁６から前記上端縁部１１側に向かって前記低辺フィルム２１の上端部３０近傍の高さまで縦方向に複数の側壁用仕切り壁７を形成して、前記底壁用仕切り壁６と前記側壁用仕切り壁７とからなる、横方向に前記定めた幅の間隔で複数の小袋部２、３が形成され、かつ、前記３枚のフィルムの中央のフィルムを中心に前後にそれぞれ同一の幅を有する２つの小袋部２、３が形成され、前記高辺フィルム２０の上端縁部１１に沿って左右両端部１２、１３に亘ってファスナー８を設けて、１枚の低辺フィルム２１が外側になるようにして２枚の高辺フィルム２０と重ねた場合は、上部開口部が常時開放状態の小袋部２と、上部開口部が開閉可能な小袋部３が前後で対になって、かつ横方向に複数並んだ小袋部２、３が形成され、又は、２枚の低辺フィルム２１と２枚の高辺フィルム２０とをそれぞれ交互に重ねた場合は、上部開口部が常時開放状態の小袋部２と、上部開口部が開閉可能な小袋部３が前後で対になって、かつ横方向に複数並んだ小袋部２、３が形成されるとともに、前記底壁用仕切り壁６と前記左右端縁部１２、１３とにより三方が閉塞され上部開口部が開閉可能な大袋部４が形成されることを特徴とする。
【０００９】
請求項２に記載の小物整理用袋体１は、請求項１において、前記開閉用ファスナー８の形態がスライダーを有する場合に、前記スライダーの左右方向の長さ相当分の幅を有する左右方向が仕切られた空間部４０を形成するための側壁用仕切り壁７を、前記ファスナー８が開放時に待機位置にある前記スライダー前端部の下方に設けたことを特徴とする。
【００１０】
請求項３に記載の小物整理用袋体１は、請求項１又は２において、前記ファスナー８が、線ファスナー、面ファスナー、雄雌咬合型ファスナー又はスライダー付雄雌咬合型ファスナーであることを特徴とする。
【発明の効果】
【００１１】
請求項１に記載の発明は、ファスナー８で開閉可能となる小袋部３に鍵５１等の小物を入れることによって、他の小物と混ざることはないし、ファスナー８を閉じることによって収納した後に脱落等によって紛失になりにくいし、同一の側壁用仕切り壁７と底壁用仕切り壁６に三方向を囲まれた、上部が密閉可能な小袋部３と上部が常時開放状態の小袋部２とは前後方向で対になる小袋部２、３として前記小物の管理ができる。したがって、例えば、貸室、貸家、貸事務所などを管理する不動産の管理人が、多くの不動産の鍵５１を管理するときに、常時開放された小袋体２に名刺や写真などを挿入し、その対となる密閉小袋部３に鍵５１を封入すると、鍵５１はどの人が借りているかを容易にすぐに知ることができ業務効率が向上するという効果を奏する。
【００１２】
また、密閉可能な大袋部４を形成された場合には、小袋部２、３では収納できない物を収納できるので、例えば収納した小物に関するＡ４タイプの資料を収納することができるので、整理整頓の幅が広がることから業務効率向上に寄与できる。
【００１３】
また、一つの小物整理用袋体１の前記小袋部２、３を、例えば図１に示すように３箇所設けることができ、かつ綴じ部５に例えば穴明けパンチで穴を穿孔して複数の小物整理用袋体１を一つのファイル５０に綴じれば、多くの不動産の鍵５１を管理する管理人は、鍵５１を整理整頓させて管理できるので業務効率が向上するという効果を奏する。
【００１４】
小物整理用袋体１の熱可塑性合成樹脂製フィルムを透明又は半透明にすることができ、そのときは収納された鍵５１が袋部を密閉状態で外部から鍵５１が見えるので、鍵５１の外観を確認したいときに、ファスナー８を開けなくてよいので業務効率が向上するという効果を奏する。
【００１５】
請求項２に記載の発明は、請求項１に記載の発明と同じ効果を奏するとともに、スライダーの存する形態であっても、空間部４０を設けてスライダーの下方に小袋部３が配設にならないようにすることから、小袋部３に入っている鍵５１等がスライダーにひっかかりにくくなり小物を小物整理用袋体１の上端縁部１１の開口部から容易に取り出しやすいという効果を奏する。
【００１６】
請求項３に記載の発明は、請求項１又は２に記載の発明と同じ効果を奏するとともに、小物整理用袋体１の上端縁部１１の開口部を容易に開閉でき、小袋部３に鍵５１等の小物を容易に挿入でき、かつ小物であっても小袋部３から落ちて紛失とならないように開口部を閉塞させることができる。
【図面の簡単な説明】
【００１７】
【図１】本発明の小物整理用袋体の正面概要図である。
【図２】本発明の小物整理用袋体の背面概要図である。
【図３】図１におけるＡ−Ａ断面の概要図である。
【図４】図１の綴じ部におけるＢ−Ｂ断面の概要図である。
【図５】図１の下端縁部におけるＣ−Ｃ断面の概要図である。
【図６】図１においてファスナーが開時のＤ−Ｄ断面における、（ａ）はフィルム３枚の場合、（ｂ）はフィルム４枚の場合を示す概要図である。
【図７】図１においてファスナーが閉時のＤ−Ｄ断面における、（ａ）はフィルム３枚の場合、（ｂ）はフィルム４枚の場合を示す概要図である。
【図８】図１においてファスナーが開時で側壁用仕切り壁のＥ−Ｅ断面における、（ａ）はフィルム３枚の場合、（ｂ）はフィルム４枚の場合を示す概要図である。
【図９】本発明の複数の小物整理用袋体をファイルに綴じたときの概要図である。
【図１０】加工前の複数のフィルムを重ねた状態を示す平面概要図である。
【図１１】加工前の３枚のフィルムを重ねたときの左側面概要図である。
【図１２】加工前の３枚のフィルムを重ねたときの正面概要図である。
【図１３】加工前の４枚のフィルムを重ねたときの左側面概要図である。
【図１４】加工前の４枚のフィルムと熱遮断板とを重ねた左側面概要図である。
【発明を実施するための形態】
【００１８】
本発明に係る小物整理用袋体１は、図１乃至図８に示すように、略同一の高さと幅を有する２枚の熱可塑性合成樹脂製フィルムからなる高辺フィルム２０と、該２枚の高辺フィルム２０より高さを略ファスナー８取り付け範囲相当分を短くし該２枚の高辺フィルム２０と略同一の幅を有する１枚の熱可塑性合成樹脂製フィルムからなる低辺フィルム２１とを、前記低辺フィルム２１が外側になるように、かつ下端縁部１０と左右端縁部１２、１３を揃えて重ねて、又は、２枚の前記高辺フィルム２０と２枚の前記低辺フィルム２１とを、それぞれ交互になるように、かつ下端縁部１０と左右端縁部１２、１３を揃えて重ねて、３枚又は４枚のフィルムとも前記下端縁部１０と前記左右端縁部１２、１３の３辺を熱溶着で閉塞し、前記下端縁部１０から上端縁部１１側に向かって、ファイル５０に綴じるために使用する範囲分を離間させた高さのところを前記下端縁部１０に沿ってかつ左右端縁部１２、１３間に亘って重ねたすべてのフィルムに底壁用仕切り壁６を形成して、前記底壁用仕切り壁６より下方には四方を閉塞された綴じ部５が形成され、すべての低辺フィルム２１を含む３枚のフィルムに対して、前記底壁用仕切り壁６の左右方向で任意に定めた間隔を確保して、前記底壁用仕切り壁６から前記上端縁部１１側に向かって前記低辺フィルム２１の上端部３０近傍の高さまで縦方向に複数の側壁用仕切り壁７を形成して、前記底壁用仕切り壁６と前記側壁用仕切り壁７とからなる、横方向に前記定めた幅の間隔で複数の小袋部２、３が形成され、かつ、前記３枚のフィルムの中央のフィルムを中心に前後にそれぞれ同一の幅を有する２つの小袋部２、３が形成され、前記高辺フィルム２０の上端縁部１１に沿って左右両端部１２、１３に亘ってファスナー８を設けて、１枚の低辺フィルム２１が外側になるようにして２枚の高辺フィルム２０と重ねた場合は、上部開口部が常時開放状態の小袋部２と、上部開口部が開閉可能な小袋部３が前後で対になって、かつ横方向に複数並んだ小袋部２、３が形成され、又は、２枚の低辺フィルム２１と２枚の高辺フィルム２０とをそれぞれ交互に重ねた場合は、上部開口部が常時開放状態の小袋部２と、上部開口部が開閉可能な小袋部３が前後で対になって、かつ横方向に複数並んだ小袋部２、３が形成されるとともに、前記底壁用仕切り壁６と前記左右端縁部１２、１３とにより三方が閉塞され上部開口部が開閉可能な大袋部４が形成される小物整理用袋体１である。
【００１９】
小物整理用袋体１の材料は、透明又は半透明な熱可塑性合成樹脂製フィルムであり、加熱により熱溶着し、可撓性を有する。これにより、数枚の熱可塑性合成樹脂製フィルムを任意の形に形成しやすく、小袋部３に封入された小物を開封せずに外観を確認することができ、名刺や写真等の情報を小袋部２から取り出しをせずに読んだりして確認することができる。
【００２０】
本発明に係る小物整理用袋体１の製造方法の例を図１０乃至図１４により説明する。まず、２枚の前記高辺フィルム２０と１枚の前記低辺フィルム２１とを備える小物整理用袋体１の場合は、加工する部品として、一端側にファスナー８を設けた、熱可塑性合成樹脂製フィルムからなる高辺フィルム２０を２枚と、前記２枚の高辺フィルム２０より高さを略ファスナー８取り付け範囲相当分を短くし該２枚の高辺フィルム２０と略同一の幅を有する１枚の熱可塑性合成樹脂製フィルムからなる低辺フィルム２１とを準備する。
【００２１】
次に、左側面視で図１１に示すように、及び正面視で図１２に示すように、前記２枚の高辺フィルム２０を重ね、その上に前記１枚の低辺フィルム２１を重ねて、前記３枚のフィルムの下端縁部１０と左右端縁部１２、１３を揃えて、平面視で図１０に示すようにセットする。
【００２２】
次に、図１に示す部位である、前記フィルムの下端縁部１０、左右端縁部１２、１３、側壁用仕切り壁７、底壁用仕切り壁６の各部位を同時に加熱し金型で加圧して接着する工法である熱溶着を行う。これにより、図１に示すように小物整理用袋体１が製造される。熱溶着された部位は、例えば、下端縁部１０の断面は図５に示すように、また側壁用仕切り壁７の断面は図８（ａ）及び（ｂ）に示すように、それぞれ重ねた３枚のフィルムが熱溶着して一体化している。
【００２３】
また、２枚の前記高辺フィルム２０と２枚の前記低辺フィルム２１とを備える小物整理用袋体１の場合は、加工する部品として、一端側にファスナー８を設けた、熱可塑性合成樹脂製フィルムからなる高辺フィルム２０を２枚と、前記２枚の高辺フィルム２０より高さを略ファスナー８取り付け範囲相当分を短くし該２枚の高辺フィルム２０と略同一の幅を有する２枚の熱可塑性合成樹脂製フィルムからなる低辺フィルム２１とを準備する。
【００２４】
次に、左側面視で図１３に示すように、前記２枚の高辺フィルム２０と前記２枚の低辺フィルム２１を交互に重ねて、前記４枚のフィルムの下端縁部１０と左右端縁部１２、１３を揃えて、平面視で図１０に示すようにセットする。このとき、図１４に示すように、外側の高辺フィルム２０と内側の低辺フィルム２１の間に、側壁用仕切り壁７の部位を上方から加熱したときの熱が、最も下方にセットした高辺フィルム２０に伝わらないように熱遮断板５２を挿入する。
【００２５】
次に、図１に示す部位である、前記フィルムの下端縁部１０、左右端縁部１２、１３、側壁用仕切り壁７、底壁用仕切り壁６の各部位を同時に加熱し金型で加圧して接着する工法である熱溶着を行う。これにより、図１に示すように小物整理用袋体１が製造される。
【００２６】
前記製法により製造された小物整理用袋体１は、正面視を図１に示し、背面視を図２に示すように、底壁用仕切り壁６より下方には四方を閉塞された綴じ部５と、ファスナー８とを有して、上部開口部が常時開放状態の小袋部２と、上部開口部が開閉可能な小袋部３が前後方向で対になって、かつ横方向に複数並んだ小袋部２、３が形成される形態と、上部開口部が常時開放状態の小袋部２と、上部開口部が開閉可能な小袋部３が前後で対になって、かつ横方向に複数並んだ小袋部２、３が形成されるとともに、前記底壁用仕切り壁６と前記左右端縁部１２、１３とにより三方が閉塞され上部開口部が開閉可能な大袋部４からなる形態がある。
【００２７】
そして、前記ファスナー８の形態がスライダーを有する場合に、前記スライダーの左右方向の長さ相当分の幅を有する、左右方向が仕切られた空間部４０を形成するための側壁用仕切り壁７を、前記ファスナー８が開放時に待機位置にある前記スライダー前端部の下方に設ける。前記空間部４０の存在によって、小袋部３の挿入された小物を容易に取り出し易くなる。
【００２８】
綴じ部５は、図４に示すような断面を有し、左右端縁部１２、１３は熱溶着して左右端縁部１２、１３間の部位は３枚のフィルムが密着して重なっており、複数の小物整理用袋体１を一つのファイル５０に綴じるために使用する部位である。例えば穴明けパンチで穴を穿孔すればファイル５０に重ねて収納することができる。これにより複数の小物整理用袋体１を単体の状態で置いておくのではなく、例えば図９に示すように、小物である鍵５１を挿入した複数の小物整理用袋体１を一つのファイル５０にまとめられるので整理整頓が進み、多くの小物の中から欲しい小物を迅速に見つけることができる。
【００２９】
前記ファスナー８は、小物整理用袋体１の開口部を開閉するものであり、線ファスナー、面ファスナー、雄雌咬合型ファスナー又はスライダー付雄雌咬合型ファスナーからなる。線ファスナーには互いに噛み合う金属や樹脂等の小片を２枚の高辺フィルム２０の上端縁部１１となる部位に取り付けスライダーで開閉できるようにしたものである。面ファスナーはフック状とパイル状との２枚を組み合わせた布製テープで、２枚の高辺フィルム２０の上端縁部１１となる部位に取り付ける。
【００３０】
雄雌咬合型ファスナーは互いに噛み合う断面が雄型の溝と断面が雌型の溝を２枚の高辺フィルム２０の上端縁部１１となる部位に取り付けた形態で、手指で雄雌咬合型ファスナーを押圧して閉とし手指で雄雌咬合部を押し開いて開とする。また、スライダー付雄雌咬合型ファスナーは雄雌咬合型ファスナーの外壁側の面に突条部を形成させてスライダーで押圧させて閉とし、スライダーで雄雌咬合部を押し開いて開とさせるものである。図７（ａ）及び（ｂ）に示すように、開口部を閉にできるので、紛失してはいけない小物や書類などを閉塞状態にして管理することができる。
【００３１】
次に、小袋部２、３について説明する。図３、図６及び図７に示すように、上部開口部が常時開放状態の小袋部２と、上部開口部が開閉可能な小袋部３が前後で対になって、かつ横方向に複数並んだ小袋部２、３が形成される形態を有している。密閉可能な小袋部３の方に鍵５１等の小物を収納し、上部の開口部が常時開放された小袋部２には前記小物に関する名刺や写真等の情報を収納することで、外観ではすぐには見分けのつきにくい小物の整理整頓に効果を発揮できる。
【００３２】
前記小袋部２、３の幅や高さを任意に設定することができる。例えば小物といっしょに管理する情報が名刺の場合は名刺が挿入可能な大きさに、Ｌサイズの写真の場合はＬサイズの写真が挿入可能な大きさにする。また、一つの小物整理用袋体１に設ける袋部の数も任意に設定することができ、横並びでも縦並びでも任意の数を設けることができ、用途に応じて任意に設定すればよい。
【００３３】
前記小袋部２、３を形成する、底壁用仕切り壁６から前記上端縁部１１側に向かって形成した側壁用仕切り壁７の高さは、低辺フィルム２１の上端部３０近傍の高さまでであるが、上部開口部が常時開放された小袋部２に名刺や写真等の挿入物を挿入する場合に２枚の重ねられたフィルム間が接しているので、前記挿入物が挿入しやすいように前記側壁用仕切り壁７の高さを前記低辺フィルム２１の上端部３０の高さに対して設定するのがよい。前記側壁用仕切り壁７の高さを前記低辺フィルム２１の上端部３０の高さより低くした方が挿入物を挿入しやすくなるが、挿入した挿入物が脱落しやすくなるので、挿入物の大きさを考慮して前記側壁用仕切り壁７の高さを前記低辺フィルム２１の上端部３０の高さに対して設定する。
【００３４】
前記小袋部２、３の他に、図６（ｂ）及び図７（ｂ）に示すように、前記底壁用仕切り壁６と前記左右端縁部１２、１３とにより三方が閉塞され上部開口部が開閉可能な大袋部４を形成することができる。前記大袋部４には、小袋部２、３には収納困難であって、密閉可能な小袋部３に収納した小物に共通する物を収納することができる。例えば、貸部屋の鍵５１を密閉可能な小袋部３に収納した場合に、常時開放状態の小袋部２には借主の名刺を挿入し、大袋部４にはアパートの部屋の配置図やアパートの地図を封入させる。１名の管理人が数百から数千の部屋を管理する場合に効果を発揮する。
【符号の説明】
【００３５】
１        小物整理用袋体
２        小袋部
３        小袋部
４        大袋部
５        綴じ部
６        底壁用仕切り壁
７        側壁用仕切り壁
８        ファスナー
１０      下端縁部
１１      上端縁部
１２      左端縁部
１３      右端縁部
２０      高辺フィルム
２１      低辺フィルム
３０      上端部
４０      空間部
５０      ファイル
５１      鍵
５２      熱遮断板
【要約】
【課題】複数の小物を分別させて収納でき、収納した小物に関する情報を把握しやすく、小物管理業務の効率を高めることに寄与できる小物整理用袋体を提供する。
【解決手段】底壁用仕切り壁より下方には四方を閉塞された綴じ部と、ファスナーとを有して、上部開口部が常時開放状態の小袋部と、上部開口部が開閉可能な小袋部が前後で対になって、かつ横方向に複数並んだ小袋部が形成される形態と、上部開口部が常時開放状態の小袋部と、上部開口部が開閉可能な小袋部が前後で対になって、かつ横方向に複数並んだ小袋部が形成されるとともに、前記底壁用仕切り壁と前記左右端縁部とにより三方が閉塞され上部開口部が開閉可能な大袋部からなる小物整理用袋体により課題解決できた。
【選択図】      図１【図１】
0005391357.tif 000002
【図２】
0005391357.tif 000003
【図３】
0005391357.tif 000004
【図４】
0005391357.tif 000005
【図５】
0005391357.tif 000006
【図６】
0005391357.tif 000007
【図７】
0005391357.tif 000008
【図８】
0005391357.tif 000009
【図９】
0005391357.tif 000010
【図１０】
0005391357.tif 000011
【図１１】
0005391357.tif 000012
【図１２】
0005391357.tif 000013
【図１３】
0005391357.tif 000014
【図１４】
0005391357.tif 000015